(57)【要約】【課題】風向きの如何に拘わらずに換気、排煙等を好適に行い得、風力に基づく大きな回転モーメントを天窓本体に生じさせることがない上に、天窓開口の開放面積を増加させ得て換気、排煙効率、地面側からの熱放出効率を向上させることのできる天窓開閉装置を提供すること。【解決手段】天窓開閉装置１は、天窓枠体５と、天窓本体６と、一端部７で天窓本体６に回転自在に連結されていると共に他端部８で天窓枠体５に回転自在に連結されており、一端部７の他端部８に対する円弧線状の移動軌跡９に沿って天窓本体６に開閉移動を生じさせる一対のアーム部材１０及び１１と、アーム部材１０を起動する起動手段１２と、天窓開口閉鎖位置にある天窓本体６の天窓開口４を開放する開放移動を解除自在に禁止する禁止機構１３とを具備している。【選択図】図１
2010090602.tif 000002
【特許請求の範囲】
【請求項１】
天窓開口を画成している天窓枠体と、天窓開口を開閉する天窓本体と、一端部で天窓本体に回転自在に連結されていると共に他端部で天窓枠体に回転自在に連結されており、当該一端部の他端部に対する円弧線状の移動軌跡に沿って天窓本体に開閉移動を生じさせる一対のアーム部材と、一対のアーム部材のうちの少なくとも一方のアーム部材を起動する起動手段とを具備しており、一対のアーム部材は、天窓本体の開閉移動において当該天窓本体の天窓開口に対する平行状態を維持すべく、互いに同方向に伸びて並置されている天窓開閉装置。
【請求項２】
起動手段は、一端部で天窓本体に、他端部で天窓枠体に夫々回転自在に且つ直動自在に連結されていると共に、回動により一方のアーム部材を起動すべく、一端部及び他端部間の中間部で一方のアーム部材の一端部及び他端部間の中間部に回転自在に連結されている起動アームを具備しており、この起動アームは、一方のアーム部材と同等以上の長さを有している請求項１に記載の天窓開閉装置。
【請求項３】
天窓開口閉鎖位置にある天窓本体の天窓開口を開放する開放移動を解除自在に禁止する禁止機構を具備しており、起動手段は、起動アームに回動を生じさせるべく当該起動アームの一端部及び他端部の直動方向と同方向における移動力を当該起動アームに付与する移動力付与機構を具備しており、移動力付与機構は、一端部で起動アームに連結されているチェーン及び回転により当該チェーンを走行させるスプロケットホイールを有したチェーンスプロケット機構と、チェーンスプロケット機構のチェーンの走行を起動アームの直動方向と同方向に案内する案内路とを具備しており、チェーンの走行により起動アームに回動力を付与するようになっており、禁止機構は、チェーンの他端部に設けられた係合ピン部と、チェーンの走行に基づいて天窓本体が天窓開口を閉鎖した際に係合ピン部に対して天窓枠体側に位置して当該係合ピン部に係合するように起動アームに設けられた係合爪部とを具備しており、係合ピン部及び係合爪部の係合により天窓開口閉鎖位置にある天窓本体の開放移動を禁止する一方、当該係合の解除により当該禁止を解除するようになっている請求項２に記載の天窓開閉装置。
【発明の詳細な説明】
【技術分野】
【０００１】
本発明は、建物の屋上等に彩光、排煙、換気を行うために設置される天窓開口を開閉する天窓開閉装置に関する。
【背景技術】
【０００２】
【特許文献１】特開２００６−１２５００５号公報
【０００３】
例えば特許文献１においては、一端部では天窓枠体に回転自在に連結されていると共に他端部では天窓本体に回転自在であって直動自在に連結されている一方のアーム部材と、一端部では天窓枠体に回転自在であって直動自在に連結されていると共に中間部で一方のアーム部材の中間部に回転自在に連結されており、他端部では天窓本体に回転自在に連結されている他方のアーム部材とを具備している天窓開閉装置が提案されている。
【発明の開示】
【発明が解決しようとする課題】
【０００４】
ところで、斯かる天窓開閉装置では、天窓本体が上述の一方のアーム部材及び他方のアーム部材を介して天窓枠体に直動自在に連結されているために、開放された天窓開口の開放面積を増加させること、特に、天窓開口の開口面と平行な面内における開放面積を増加させることが困難である。
【０００５】
本発明は、前記諸点に鑑みてなされたものであって、その目的とするところは、風向きの如何に拘わらずに換気、排煙等を好適に行い得、風力に基づく大きな回転モーメントを天窓本体に生じさせることがない上に、天窓開口の開放面積を増加させ得て換気、排煙効率、地面側からの熱放出効率を向上させることのできる天窓開閉装置を提供することにある。
【課題を解決するための手段】
【０００６】
本発明の天窓開閉装置は、天窓開口を画成している天窓枠体と、天窓開口を開閉する天窓本体と、一端部で天窓本体に回転自在に連結されていると共に他端部で天窓枠体に回転自在に連結されており、当該一端部の他端部に対する円弧線状の移動軌跡に沿って天窓本体に開閉移動を生じさせる一対のアーム部材と、一対のアーム部材のうちの少なくとも一方のアーム部材を起動する起動手段とを具備しており、一対のアーム部材は、天窓本体の開閉移動において当該天窓本体の天窓開口に対する平行状態を維持すべく、互いに同方向に伸びて並置されている。
【０００７】
本発明の天窓開閉装置によれば、特に、一対のアーム部材は、天窓本体の開閉移動において当該天窓本体の天窓開口に対する平行状態を維持すべく、互いに同方向に伸びて並置されているために、風向きの如何に拘わらずに換気、排煙等を好適に行い得、風力に基づく大きな回転モーメントを天窓本体に生じさせることがない上に、一対のアーム部材が、一端部で天窓本体に回転自在に連結されていると共に他端部で天窓枠体に回転自在に連結されており、当該一端部の他端部に対する円弧線状の移動軌跡に沿って天窓本体に開閉移動を生じさせるようになっているために、天窓開口の開放面積、特に天窓開口の開口面と平行な面内における開放面積を増加させ得て換気、排煙効率、地面側からの熱放出効率を向上させることができる。
【０００８】
本発明の天窓開閉装置の好ましい例では、起動手段は、一端部で天窓本体に、他端部で天窓枠体に夫々回転自在に且つ直動自在に連結されていると共に、回動により一方のアーム部材を起動すべく、一端部及び他端部間の中間部で一方のアーム部材の一端部及び他端部間の中間部に回転自在に連結されている起動アームを具備しており、この起動アームは、一方のアーム部材と同等以上の長さを有している。このような好ましい例によれば、天窓開口の開口面と平行な面内における開放面積を更に増加させ得る。
【０００９】
本発明の天窓開閉装置の好ましい例では、天窓開口閉鎖位置にある天窓本体の天窓開口を開放する開放移動を解除自在に禁止する禁止機構を具備しており、起動手段は、起動アームに回動を生じさせるべく当該起動アームの一端部及び他端部の直動方向と同方向における移動力を当該起動アームに付与する移動力付与機構を具備しており、移動力付与機構は、一端部で起動アームに連結されているチェーン及び回転により当該チェーンを走行させるスプロケットホイールを有したチェーンスプロケット機構と、チェーンスプロケット機構のチェーンの走行を起動アームの直動方向と同方向に案内する案内路とを具備しており、チェーンの走行により起動アームに回動力を付与するようになっており、禁止機構は、チェーンの他端部に設けられた係合ピン部と、チェーンの走行に基づいて天窓本体が天窓開口を閉鎖した際に係合ピン部に対して天窓枠体側に位置して当該係合ピン部に係合するように起動アームに設けられた係合爪部とを具備しており、係合ピン部及び係合爪部の係合により天窓開口閉鎖位置にある天窓本体の開放移動を禁止する一方、当該係合の解除により当該禁止を解除するようになっている。このような好ましい例によれば、チェーンの走行に基づく天窓本体の閉鎖移動に連動して速やかに且つ確実に天窓本体による天窓開口の閉鎖状態を維持することができる。
【発明の効果】
【００１０】
本発明の天窓開閉装置によれば、風向きの如何に拘わらずに換気、排煙等を好適に行い得、風力に基づく大きな回転モーメントを天窓本体に生じさせることがない上に、天窓開口の開放面積を増加させ得て換気、排煙効率、地面側からの熱放出効率を向上させることのできる天窓開閉装置を提供し得る。
【発明を実施するための最良の形態】
【００１１】
次に本発明及びその実施の形態を、図に示す好ましい例に基づいて更に詳細に説明する。なお、本発明はこれら例に何等限定されないのである。
【００１２】
図１から図７において、本例の天窓開閉装置１は、建物の屋上に配設されると共に、採光、排煙及び換気、放熱用の天窓開口４を画成している矩形枠状の天窓枠体５と、天窓開口４を開閉する矩形板状の天窓本体６と、一端部７で天窓本体６に回転自在に連結されていると共に他端部８で天窓枠体５に回転自在に連結されており、一端部７の他端部８に対する図６に示す円弧線状の移動軌跡９に沿って天窓本体６にＲ１及びＲ２方向の開閉移動を生じさせる一対のアーム部材１０及び１１と、アーム部材１０及び１１のうちの少なくとも一方のアーム部材、本例ではアーム部材１０を起動する起動手段１２と、図２に示すように天窓開口閉鎖位置にある天窓本体６の天窓開口４を開放するＲ１方向の開放移動を解除自在に禁止する禁止機構１３とを具備している。
【００１３】
天窓枠体５は、Ｘ方向に伸びた互いに等長の一対の枠部２１及び２２と、枠部２１及び２２に対して直交するＹ方向に伸びた互いに等長の一対の枠部２３及び２４とを具備しており、枠部２１の一端は枠部２３の一端に、枠部２１の他端は枠部２２の一端に、枠部２２の一端は枠部２３の他端に、枠部２２の他端は枠部２４の他端に夫々固定的に連結されている。天窓開口４は、本例では、枠部２１、２２、２３及び２４によって囲繞された空間からなる。
【００１４】
天窓本体６は、Ｘ方向に伸びた互いに等長の一対の枠部３１及び３２と、枠部３１及び３２に対して直交するＹ方向に伸びた互いに等長の一対の枠部３３及び３４と、枠部３１、３２、３３及び３４に囲繞される空間に配設された蓋板としての採光用のガラス板３５とを具備しており、枠部３１の一端は枠部３３の一端に、枠部３１の他端は枠部３２の一端に、枠部３２の一端は枠部３３の他端に、枠部３２の他端は枠部３４の他端に夫々固定的に連結されており、ガラス板３５の周縁は、枠部３１、３２、３３及び３４の内側面に固定されている。枠部３１、３２、３３及び３４の下部には、雨等除け用の庇部３６が形成されている。斯かる天窓本体６が天窓開口閉鎖位置に配された際には、枠部３１及び３２が枠部２１及び２２に夫々当接していると共に枠部３３及び３４が枠部２３及び２４に夫々当接しており、斯かる枠部３１、３２、３３及び３４の枠部２１、２２、２３及び２４への当接によって天窓開口４を閉鎖する。また、天窓本体６が図６に示す天窓開口開放位置又は図７に示す他の天窓開口開放位置に配された際には、枠部３１及び３２が枠部２１及び２２から離反していると共に枠部３３及び３４が枠部２３及び２４から離反しており、斯かる枠部３１、３２、３３及び３４の枠部２１、２２、２３及び２４からの離反によって天窓開口４を開放する。枠部２１、２２、２３及び２４及び枠部３１、３２、３３及び３４のうちの一方には、枠部２１、２２、２３及び２４及び枠部３１、３２、３３及び３４のうちの他方に当接するシール部材が設けられている。
【００１５】
アーム部材１０及び１１は、夫々互いに同様に形成されており、アーム部材１０は枠部２３及び３３側に、アーム部材１１は枠部２４及び３４側に夫々配設されている。アーム部材１０及び１１の夫々の一端部７は、枠部３１に固着された取付フレーム４１に軸受等を介して回転自在に装着されている。アーム部材１０及び１１の夫々の他端部８は、枠部２１に固着された取付フレーム４２に軸受等を介して回転自在に装着されている。アーム部材１０の一端部７の天窓本体６に対する回転軸心１５から当該アーム部材１０の他端部８の天窓枠体５に対する回転軸心１６までの距離は、アーム部材１１の一端部７の天窓本体６に対する回転軸心１７から当該アーム部材１１の他端部８の天窓枠体５に対する回転軸心１８までの距離と等しい。回転軸心１５及び１６を通る線と回転軸心１５及び１７を通る線との交差角は、回転軸心１７及び１８を通る線と回転軸心１５及び１７を通る線との交差角と等しい。回転軸心１５及び１６を通る線と回転軸心１６及び１８を通る線との交差角は、回転軸心１７及び１８を通る線と回転軸心１６及び１８を通る線との交差角と等しい。回転軸心１７及び１８を通る線、回転軸心１５及び１６を通る線、回転軸心１５及び１７を通る線並びに回転軸心１６及び１８を通る線は平行四辺形を形成する。斯かるアーム部材１０及び１１は、天窓本体６のＲ１方向及びＲ２方向の開閉移動において当該天窓本体６の天窓開口４に対する平行状態を維持すべく、互いに同方向に伸びてＸ方向において並置されている。
【００１６】
起動手段１２は、一端部４７で天窓本体６に、他端部４８で天窓枠体５に夫々回転自在に且つＸ方向に直動自在に連結されていると共に、ｒ１方向及びｒ２方向の回動によりアーム部材１０を起動すべく、一端部４７及び他端部４８間の中間部４９でアーム部材１０の一端部７及び他端部８間の中間部１４に回転自在に連結されている起動アーム５０と、起動アーム５０にｒ１方向及びｒ２方向の回動を生じさせるべく当該起動アーム５０の一端部４７及び他端部４８の直動方向と同方向であるＸ方向における移動力を起動アーム５０の他端部４８に付与する移動力付与機構５１とを具備している。
【００１７】
起動アーム５０は、アーム部材１０と同等以上の長さを有している。一端部４７の天窓本体６に対する回転軸心１９から他端部４８の天窓枠体５に対する回転軸心２０までの距離は、回転軸心１５から回転軸心１６までの距離の１．５倍である。一端部４７は、取付フレーム４１に形成されたＸ方向に伸びた案内レール５５及び当該一端部４７に設けられていると共に案内レール５５にＸ方向に直動自在に嵌合したローラ５６を介して枠部３１に回転自在に且つ直動自在に装着されている。他端部４８は、取付フレーム４２に形成されたＸ方向に伸びた案内レール５７及び当該他端部４８に設けられていると共に案内レール５７にＸ方向に直動自在に嵌合したローラ５８を介して枠部２１に回転自在に且つ直動自在に装着されている。中間部４９は、一端部４７及び他端部４８の双方から同距離離れて位置しており、中間部１４は一端部７及び他端部８から同距離離れて位置している。斯かる起動アーム５０は、移動力付与機構５１から一方の移動力が付与されると、ｒ１方向の回動力を生じ、この回動力を中間部４９及び１４を介してアーム部材１０に伝達する一方、移動力付与機構５１から他方の移動力が付与されると、ｒ１方向とは逆のｒ２方向の回動力を生じ、この回動力を中間部４９及び１４を介してアーム部材１０に伝達するように配設されている。起動アーム５０は、ｒ１方向の回動によりアーム部材１０を起動してＲ１方向に移動させ、また、ｒ２方向の回動によりアーム部材１０を起動してＲ２方向に移動させる。起動アーム５０は、アーム部材１０よりも同等以上の長さを有しているために、図２に示すようにＸ方向において他端部８に対して一方側に位置している一端部７が移動軌跡９に沿って移動して図７に示すように他端部８に対して他方側に位置することを可能ならしめる。尚、アーム部材１１は、枠部２１及び３１を介してアーム部材１０のＲ１方向及びＲ２方向の移動が伝達されるので、アーム部材１０と同様にＲ１方向及びＲ２方向に移動するようになっている。ローラ５８は連結体８６を介して他端部４８に装着されている。
【００１８】
移動力付与機構５１は、一端部６１で起動アーム５０の他端部４８に連結部材９０を介して連結されているチェーン６２及び回転により当該チェーン６２をＡ方向及びＢ方向に走行させるスプロケットホイール６３を有したチェーンスプロケット機構６４と、チェーン６２の走行を起動アーム５０の一端部４７及び他端部４８の直動方向と同方向であるＸ方向に案内する案内路６５と、スプロケットホイール６３に連結機構６６を介して連結されていると共に作動によりスプロケットホイール６３を回転させる電動モータ６７とを具備している。
【００１９】
スプロケットホイール６３は、取付フレーム４２の枠部２３側の部位に回転自在に装着されている。チェーン６２の他端部６８は一端部６１に対して上方に位置している。チェーン６２は、スプロケットホイール６３に巻き掛けられており、スプロケットホイール６３に巻き掛けられた部位から一端部６１までの間のチェーン６２の部位７１はＸ方向に案内されるように案内路６５に配設されており、スプロケットホイール６３に巻き掛けられた部位から他端部６８までの間のチェーン６２の部位７２はＸ方向に案内されるように案内路６５に配設されている。斯かるチェーン６２は、Ａ方向の走行において起動アーム５０に引っ張り力を付与することができ、また、部位７１及び７２の夫々が案内路６５によって撓みが防止されているので、Ｂ方向の走行において起動アーム５０に押し出し力を付与することができる。案内路６５は、チェーン６２に沿って伸びて取付フレーム４２に形成されており、上述の通りに部位７１及び７２を案内すると共にスプロケットホイール６３に巻き掛けられたチェーン６２の部位が当該スプロケットホイール６３から脱落しないように巻き掛け方向に案内するようになっている。
【００２０】
電動モータ６７は、本例では電磁ブレーキ付のＡＣモータからなり、枠部２３に取り付けられている。電動モータ６７は、給電されない状態においては電磁ブレーキが作動して電動モータ６７の出力回転軸に制動力が付与されている状態にある一方、給電された状態においては電磁ブレーキの作動が解除されて電動モータ６７の出力回転軸に制動力の付与が解除されている状態となる。電動モータ６７に対し給電が開始された際には、電動モータ６７の電磁ブレーキによる制動力の付与が解除されてからその出力回転軸が回転するようになっている。
【００２１】
連結機構６６は、電動モータ６７の出力回転軸に連結された減速歯車機構７５と、電動モータ６７の出力回転軸の回転に基づいて回転する減速歯車機構７５の六角形状の出力軸７６に一端で嵌合していると共に他端でスプロケットホイール６３に連結されており、電動モータ６７の出力回転軸の回転をスプロケットホイール６３に伝達する回転軸７７とを具備している。連結機構６６は、電動モータ６７の出力回転軸の回転を減速歯車機構７５において減速して出力軸７６に出力し、回転軸７７を介してチェーンスプロケット機構６４のスプロケットホイール６３を回転させ、而して、チェーン６２をＡ方向及びＢ方向に走行させるようになっている。
【００２２】
連結部材９０は、チェーン６２の一端部６１に連結されている連結体８５と、起動アーム５０の他端部４８に回転自在に連結されていると共に連結体８５に対して相対的にＸ方向に所定距離移動自在に後述のピン９７及び長孔９８を介して嵌合されている連結体８６と、Ｘ方向の弾性力を生じるように連結体８５及び８６間に介在された弾性部材９９とを具備している。
【００２３】
斯かる移動力付与機構５１は、電動モータ６７の出力回転軸の回転に基づくチェーン６２のＡ方向の走行により起動アーム５０にｒ１方向の回動力を付与し、電動モータ６７の出力回転軸の逆回転に基づくチェーン６２のＢ方向の走行により起動アーム５０にｒ２方向の回動力を付与するようになっている。
【００２４】
禁止機構１３は、チェーン６２の他端部６８に設けられた係合ピン部８１と、チェーン６２のＢ方向の走行に基づいて天窓本体６がＲ２方向に閉鎖移動して天窓開口４を閉鎖した際に係合ピン部８１に対して天窓枠体５側に位置して当該係合ピン部８１に係合するように起動アーム５０に設けられた係合爪部８２と、チェーン６２の一端部６１及び起動アーム５０の他端部４８を連結している連結部材９０に形成されていると共に、天窓本体６が天窓開口閉鎖位置に配されている際に係合ピン部８１と係合爪部８２との係合を解除するためのチェーン６２のＡ方向の所定距離の走行を許容する走行許容部８３とを具備している。
【００２５】
係合ピン部８１は、所謂Ｄカットが施されていると共に係合爪部８２に当接する平坦な当接面９５を有したピン部材からなり、チェーン６２の他端部６８の移動とともにＸ方向において係合爪部８２に対して移動される。
【００２６】
係合爪部８２は、起動アーム５０の中間部４９よりも他端部４８側の部位に形成されていると共に当接面９５に当接する当接面９６を有した切欠き部からなる。
【００２７】
走行許容部８３は、連結体８６に固着されたピン９７及び連結体８５に形成されていると共にピン９７がＸ方向に所定距離移動自在に配されたＸ方向に伸びた長孔９８とを具備している。長孔９８は、チェーン６２がＡ方向に走行する場合には、ピン９７に対してＡ方向に移動して図５に示すように、係合ピン部８１と係合爪部８２との係合を解除すると共に当該長孔９８を規定する連結部材９０の規定面９２でピン９７を押圧し、この押圧によりチェーン６２のＡ方向の走行を連結部材９０を介して起動アーム５０に伝達するようになっている。また、長孔９８は、チェーン６２がＢ方向に走行する場合には、ピン９７に対してＢ方向に移動して当該長孔９８を規定する連結部材９０の他の規定面９１でピン９７を押圧し、この押圧によりチェーン６２のＢ方向の走行を連結部材９０を介して起動アーム５０に伝達し、天窓本体６がＲ２方向の閉鎖移動により天窓開口閉鎖位置に配される際に連結部材９０とともにＢ方向に移動して当接面９５を当接面９６に当接させ、而して、図３に示すように、係合ピン部８１と係合爪部８２とを係合させるようになっている。弾性部材９９は、当該弾性部材９９が引張ばねからなる場合には、連結体８５及び８６を互いに接近させるＸ方向の弾性力を生じるために、天窓本体６が天窓開口閉鎖位置にある場合において係合ピン部８１と係合爪部８２との係合状態を弾性的に維持すると共に天窓本体６が天窓開口開放位置にある場合において天窓本体６を弾性的に支持する一方、当該弾性部材９９が圧縮ばねからなる場合には、連結体８５及び８６を互いに離反させる方向の弾性力を生じて、天窓本体６が天窓開口閉鎖位置にある場合において天窓本体６に弾性的なＲ２方向の閉鎖移動力を付与し得て天窓本体６と天窓枠体５との気密状態をより向上させ得る。ピン９７の長孔９８に対する意図しない揺動を防止し得る。
【００２８】
斯かる禁止機構１３は、天窓本体６が天窓開口閉鎖位置に配されている際におけるチェーン６２のＢ方向の走行に基づいて係合ピン部８１を係合爪部８２に係合させ、この係合により天窓開口閉鎖位置にある天窓本体６のＲ１方向の開放移動を禁止する一方、天窓本体６が天窓開口閉鎖位置に配されている際におけるチェーン６２のＡ方向の走行に基づいて係合ピン部８１と係合爪部８２との係合を解除し、この係合の解除により天窓開口閉鎖位置にある天窓本体６のＲ１方向の開放移動の禁止を解除する。
【００２９】
アーム部材１０及び１１、起動手段１２及び禁止機構１３は、枠部２２及び３２側にも設けられているが、これらは枠部２１及び３１側のアーム部材１０及び１１、起動手段１２及び禁止機構１３と同様に形成されているので、枠部２２及び３２側のアーム部材１０及び１１、起動手段１２及び禁止機構１３については図に適宜同符号を付してこれらの詳細な説明を省略する。尚、枠部２１及び３１側の起動手段１２並びに枠部２２及び３２側の起動手段１２の夫々は、本例では図４に示すように連結機構６６及び電動モータ６７を共用しており、連結機構６６は、枠部２１側に位置した上述の出力軸７６及び回転軸７７と、枠部２２側に位置した出力軸７６及び回転軸７７とを具備している。
【００３０】
以上の天窓開閉装置１では、まず、天窓本体６が天窓開口閉鎖位置にある場合において、電動モータ６７の出力回転軸の回転により連結機構６６を介してスプロケットホイール６３を回転させ、この回転によりチェーン６２をＡ方向に走行させて、Ｘ方向において一端部６１を枠部２３側に向かって移動させると共に他端部６８を枠部２４側に向かって移動させる。Ｘ方向において一端部６１が枠部２３側に向かって移動することにより、長孔９８はピン９７に対して枠部２３側に向かって移動する。Ｘ方向において他端部６８が枠部２４側に向かって移動することにより、係合ピン部８１は係合爪部８２に対して相対的に枠部２４側に移動し、この移動により係合ピン部８１と係合爪部８２との係合は解除され、而して、天窓本体６のＲ１方向の開放移動の禁止は解除された状態となる。
【００３１】
天窓本体６のＲ１方向の開放移動の禁止の解除後におけるチェーン６２の更なるＡ方向の走行により、ピン９７は規定面９２にＸ方向において枠部２３側に向かって押圧され、この押圧により連結部材９０はＸ方向において枠部２３側に向かって移動され、而して、起動アーム５０の他端部４８はＸ方向において枠部２３側に向かって移動する。起動アーム５０の他端部４８がＸ方向において枠部２３側に向かって移動すると、当該起動アーム５０はｒ１方向の回動を生じる。この回動により起動アーム５０の中間部４９がＺ方向において天窓開口４から離反移動するので、アーム部材１０は当該回動が中間部４９及び１４を介して伝達されることによってＲ１方向に回動し、一端部７は他端部８を中心として円弧線状の移動軌跡９に沿ってＲ１方向に移動する。アーム部材１１もまたアーム部材１０と同様に動作する。このようにアーム部材１０及び１１の夫々の一端部７がＲ１方向に移動することにより、天窓本体６は、天窓開口４に対して平行状態を維持しながらＺ方向において天窓開口４から離反移動すると共にＸ方向において枠部２３側に向かって移動する。このように天窓本体６は、Ｒ１方向に開放移動して図６に示すように天窓開口開放位置に配されて天窓開口４を開放する。図６に示すように天窓本体６が天窓開口開放位置に配された場合には、回転軸心１５及び１６を通る線及び回転軸心１７及び１８を通る線と回転軸心１５及び１７を通る線及び回転軸心１６及び１８を通る線との夫々の交差角が９０°となるために、天窓本体６は、Ｚ方向において天窓開口４から最も離反した状態となる。Ｒ１方向に開放移動する天窓本体６のＸ方向における移動量は、天窓開口４からの漸次離反に伴って漸増する。
【００３２】
図６に示す天窓開口開放位置に配された天窓本体６を、チェーン６２の更なるＡ方向の走行に基づいて円弧線状の移動軌跡９に沿ってＲ１方向に移動させることにより、天窓本体６を図６に示す天窓開口開放位置に対して枠部２３側に位置する図７に示す他の天窓開口開放位置に配することができる。天窓本体６が図７に示す天窓開口開放位置に配される場合には、Ｚ方向に直交する面内における天窓開口４の開口面積は増加する。
【００３３】
次に、天窓本体６が図６又は図７に示す天窓開口閉鎖位置にある場合において、電動モータ６７の出力回転軸の逆回転により連結機構６６を介してスプロケットホイール６３を逆回転させ、この逆回転によりチェーン６２をＢ方向に走行させて、Ｘ方向において一端部６１を枠部２４側に向かって移動させると共に他端部６８を枠部２３側に向かって移動させる。一端部６１がＸ方向において枠部２４側に向かって移動することにより長孔９８がピン９７に対して枠部２４側に向かって移動する。ピン９７は規定面９１によりＸ方向において枠部２４側に向かって押圧され、この押圧により連結部材９０はＸ方向において枠部２４側に向かって移動され、而して、起動アーム５０の他端部４８はＸ方向において枠部２４側に向かって移動する。起動アーム５０の他端部４８がＸ方向において枠部２４側に向かって移動すると、当該起動アーム５０はｒ２方向の回動を生じる。この回動によりアーム部材１０及び１１の一端部７は円弧線上の移動軌跡９に沿ってＲ２方向に移動し、而して、天窓本体６は、天窓開口４に対して平行状態を維持しながらＲ２方向に閉鎖移動する。天窓本体６のＲ２方向の閉鎖移動により当該天窓本体６が図２に示す天窓開口閉鎖位置に配される際には、係合ピン部８１はチェーン６２のＢ方向の走行に基づいてＸ方向において枠部２３側に向かって移動されて係合爪部８２に係合し、而して、天窓開口閉鎖位置にある天窓本体６のＲ１方向の開放移動を禁止する。
【００３４】
本例の天窓開閉装置１によれば、天窓開口４を画成している天窓枠体５と、天窓開口４を開閉する天窓本体６と、一端部７で天窓本体６に回転自在に連結されていると共に他端部８で天窓枠体５に回転自在に連結されており、当該一端部７の他端部８に対する円弧線状の移動軌跡９に沿って天窓本体６に開閉移動を生じさせる一対のアーム部材１０及び１１と、一対のアーム部材１０及び１１のうちの少なくとも一方のアーム部材１０を起動する起動手段１２とを具備しており、アーム部材１０及び１１は、天窓本体６の開閉移動において当該天窓本体６の天窓開口４に対する平行状態を維持すべく、互いに同方向に伸びて並置されているために、天窓開口４の開放において天窓枠体５と天窓本体６との間に方向性を有しない均等な隙間からなる通路を形成でき、斯かる通路を介して建物内から四方に排気できると共に四方から外気を建物内に取込める結果、風向きによる影響をそれ程受けないで換気、排煙等を好適に行い得、天窓本体６への大きな風圧の作用を低減することができて風力に基づく大きな回転モーメントを天窓本体６に生じさせることがない上に、天窓開口４の開放面積、特に天窓開口４のＺ方向に直交する面内における開口面と平行な面内における開放面積を増加させ得、而して、換気、排煙効率、地面側からの熱放出効率を向上させることができる。
【００３５】
天窓開閉装置１によれば、起動手段１２は、一端部４７で天窓本体６に、他端部４８で天窓枠体５に夫々回転自在に且つ直動自在に連結されていると共に、回動によりアーム部材１０を起動すべく、一端部４７及び他端部４８間の中間部４９でアーム部材１０の一端部７及び他端部８間の中間部１４に回転自在に連結されている起動アーム５０を具備しており、起動アーム５０は、アーム部材１０と同等以上の長さを有しているために、天窓開口４のＺ方向に直交する面内における開口面と平行な面内における開放面積を更に増加させ得る。
【００３６】
天窓開閉装置１によれば、天窓開口閉鎖位置にある天窓本体６の天窓開口４を開放する開放移動を解除自在に禁止する禁止機構１３を具備しており、起動手段１２は、起動アーム５０に回動を生じさせるべく当該起動アーム５０の一端部４７及び他端部４８の直動方向と同方向における移動力を当該起動アーム５０に付与する移動力付与機構５１を具備しており、移動力付与機構５１は、一端部６１で起動アーム５０に連結されているチェーン６２及び回転により当該チェーン６２を走行させるスプロケットホイール６３を有したチェーンスプロケット機構６４と、チェーンスプロケット機構６４のチェーンの走行を起動アームの直動方向と同方向に案内する案内路６５とを具備しており、チェーン６２の走行により起動アーム５０に回動力を付与するようになっており、禁止機構１３は、チェーン６２の他端部６８に設けられた係合ピン部８１と、チェーン６２の走行に基づいて天窓本体６が天窓開口４を閉鎖した際に係合ピン部８１に対して天窓枠体５側に位置して当該係合ピン部８１に係合するように起動アーム５０に設けられた係合爪部８２とを具備しており、係合ピン部８１及び係合爪部８２の係合により天窓開口閉鎖位置にある天窓本体６の開放移動を禁止する一方、当該係合の解除により当該禁止を解除するようになっているために、チェーン６２の走行に基づく天窓本体６の閉鎖移動に連動して速やかに且つ確実に天窓本体による天窓開口の閉鎖状態を維持することができる。
【図面の簡単な説明】
【００３７】
【図１】本発明の実施の形態の例の天窓開口閉鎖状態の斜視説明図である。
【図２】図１に示す例のＩＩ−ＩＩ線断面矢視説明図である。
【図３】図２に示す例の断面説明図である。
【図４】図１に示す例のＩＶ−ＩＶ線断面矢視説明図である。
【図５】図１に示す例の動作説明図である。
【図６】図１に示す例の天窓開口開放状態の説明図である。
【図７】図１に示す例の天窓開口開放状態の説明図である。
【符号の説明】
【００３８】
１  天窓開閉装置
４  天窓開口
５  天窓枠体
６  天窓本体
１０、１１  アーム部材
１２  起動手段
１３  禁止機構
【図１】
2010090602.tif 000003
【図２】
2010090602.tif 000004
【図３】
2010090602.tif 000005
【図４】
2010090602.tif 000006
【図５】
2010090602.tif 000007
【図６】
2010090602.tif 000008
【図７】
2010090602.tif 000009